(57)【要約】  スポーツ用物体、例えばフットボール用ボールまたはアイス・ホッケー用パックなどの可動物体が、ゴール面を通過したかどうかを検出するためのシステムが開示される。ゴール面を導体（１、２、３、４）で取り囲んで電磁界を発生させて、可動物体内の信号放出器手段を励起し、または放出器手段によって放出された信号を検出することが知られている。本発明では、これらの回路が複数の別々の回路に区分され、それにより、特に可動物体が導体に近いときのシステムの空間分解能が改善される。
2011500112.tif 000002
【特許請求の範囲】
【請求項１】
可動物体と、
前記可動物体内に構成された電波放出器手段と、
前記電波放出器手段に電力を供給するために前記可動物体内に構成された内部電源と、
前記電波放出器手段を励起するために構成された固定励起器手段と、
前記電波放出器手段から電波を受信し、それに応じて出力をもたらす固定受信器手段と、
平坦なターゲット面の周囲に沿って配置され、前記ターゲット面の前記周囲に実質的に平行に延びる２つの実質的に並行する導体をそれぞれが備え、前記並行導体が前記平坦なターゲット面に垂直な方向にある相互距離を有して配置される、複数の実質的に閉じた第１のアンテナ・ループであって、前記固定励起器手段および前記固定受信器手段の一方を構成する、複数の第１のアンテナ・ループと
を備えるシステムであって、
前記出力を受け取って所定の条件セットと共に処理し、前記可動物体が前記平坦なターゲット面を通過するかどうかを判定するために、前記条件セットが満たされた場合に結果として得られる出力をもたらすためのデータ処理手段をさらに備える
システム。
【請求項２】
前記内部電源が、充電式電池または１つもしくは複数のコンデンサなど、電気的に再充電可能な手段を備える、請求項１に記載のシステム。
【請求項３】
前記内部電源を再充電するための電力を、誘導電力伝達システムによって受け取るように適合された再充電手段をさらに備える、請求項２に記載のシステム。
【請求項４】
各第１のアンテナ・ループの前記実質的に並行する導体が、前記平坦なターゲット面の各側に、前記ターゲット面に垂直な実質的に同じ距離において配置される、請求項１乃至３のいずれか１項に記載のシステム。
【請求項５】
各第１のアンテナ・ループの前記実質的に並行する導体間の、前記平坦なターゲット面に垂直な方向の前記相互距離が、１５〜５０センチメートルの範囲内である、請求項１乃至４のいずれか１項に記載のシステム。
【請求項６】
各第１のアンテナ・ループの前記実質的に並行する導体が、前記平坦なターゲット面の周囲に沿って０．５〜３メートルの範囲内、好ましくは１〜２メートルの範囲内で延びる、請求項１乃至５のいずれか１項に記載のシステム。
【請求項７】
前記第１のアンテナ・ループの少なくともいくつかが、前記平坦なターゲット面の実質的に水平なラインに沿って直列に配置される、請求項１乃至６のいずれか１項に記載のシステム。
【請求項８】
前記第１のアンテナ・ループが、４〜１６個の範囲内、好ましくは６〜１２個の範囲内で、前記平坦なターゲット面の前記水平ラインに沿って配置される、請求項７に記載のシステム。
【請求項９】
前記第１のアンテナ・ループが、前記平坦なターゲット面の前記水平ラインに沿って実質的に等距離に配置される、請求項８に記載のシステム。
【請求項１０】
前記水平ラインが、前記平坦なターゲット面の範囲を定めるゴールの水平なクロスバーに沿う、請求項７乃至９のいずれか１項に記載のシステム。
【請求項１１】
前記第１のアンテナ・ループの少なくともいくつかが、前記平坦なターゲット面の実質的に垂直な複数のラインに沿って直列に配置される、請求項１乃至１０のいずれか１項に記載のシステム。
【請求項１２】
前記第１のアンテナ・ループが、２〜８個の範囲内、好ましくは３〜６個の範囲内で、前記平坦なターゲット面の前記垂直な複数のラインのそれぞれに沿って配置される、請求項１１に記載のシステム。
【請求項１３】
前記第１のアンテナ・ループが、前記平坦なターゲット面の前記垂直な複数のラインに沿って実質的に等距離に配置される、請求項１２に記載のシステム。
【請求項１４】
前記垂直な複数のラインが、前記平坦なターゲット面の範囲を定めるゴールの垂直な複数のサイド・ポストに沿う、請求項１１乃至１３のいずれか１項に記載のシステム。
【請求項１５】
前記第１のアンテナ・ループのそれぞれの動作を別々に制御する制御手段を有する、請求項１乃至１４のいずれか１項に記載のシステム。
【請求項１６】
前記平坦なターゲット面の実質的に周囲で延び、かつ前記固定励起器手段および前記固定受信器手段の他方を構成する第２のアンテナ・ループをさらに備える、請求項１乃至１５のいずれか１項に記載のシステム。
【請求項１７】
前記第１のアンテナ・ループが前記固定受信器手段を構成し、前記第２のアンテナ・ループが前記固定励起器手段を構成する、請求項１６に記載のシステム。
【請求項１８】
前記システムの動作中に前記第１のアンテナ・ループと前記第２のアンテナ・ループの起こり得るずれを補償するように構成される、前記第１のアンテナ・ループごとの第１の補償手段をさらに備える、請求項１７に記載のシステム。
【請求項１９】
前記第１の補償手段が、実質的に前記第１のアンテナ・ループの面内に構成され、かつ前記平坦なターゲット面の周囲から前記並行導体の一方に向かって変位された補償ループを備える、請求項１８に記載のシステム。
【請求項２０】
可動物体がシステムの平坦なターゲット面を通過するかどうかを判定する手段を有するシステムで使用するための可動物体であって、
電磁界を感知するセンサ手段と、
前記可動物体内に構成された電波放出器手段と、
前記電波放出器手段に電力を供給するために前記可動物体内に構成された内部電源と、
メモリ手段と、
前記メモリ手段および前記電波放出器手段の動作を制御する制御手段と
を有し、
前記制御手段が、前記センサ手段によって測定された電磁界強度を所与のサンプル・レートでサンプリングして、全てのサンプル値を前記メモリ手段に記憶するように構成され、前記制御手段がさらに、活性化されると、前記メモリ手段から記憶されたサンプル値を取り出して、前記取り出された値を前記電波放出器手段によって送出するように構成される
可動物体。
【請求項２１】
前記内部電源が、充電式電池または１つもしくは複数のコンデンサなど、電気的に再充電可能な手段を備える、請求項２０に記載の可動物体。
【請求項２２】
前記内部電源を再充電するための電力を、誘導電力伝達システムによって受け取るように適合された再充電手段をさらに備える、請求項２１に記載の可動物体。
【請求項２３】
前記メモリ手段が、先入れ先出し（ＦＩＦＯ）メモリとして動作し、それにより最新のサンプルが、前記メモリ内の記憶された最も古いサンプルに取って代わるように構成される、請求項２０乃至２２のいずれか１項に記載の可動物体。
【請求項２４】
前記物体の動作中の前記メモリ手段が、前記所与のサンプル・レートでサンプリングされた値を、少なくとも０．２秒、好ましくは０．３５〜１．２秒の範囲内の時間内で記憶することができる、請求項２３に記載の可動物体。
【請求項２５】
前記所与のサンプル・レートが、２，０００Ｈｚ〜６，０００Ｈｚなど、５００Ｈｚ〜１０，０００Ｈｚの範囲内である、請求項２０乃至２４のいずれか１項に記載の可動物体。
【請求項２６】
前記センサ手段が、複数の個々のセンサ手段を備える、請求項２０乃至２５のいずれか１項に記載の可動物体。
【請求項２７】
前記複数のセンサ手段が、前記可動物体の内部バルーンとその外殻との間に設けられる、請求項２６に記載の可動物体。
【請求項２８】
前記複数のセンサ手段が、前記可動物体の内部バルーンの内側に設けられる、請求項２６に記載の可動物体。
【請求項２９】
前記複数のセンサ手段の少なくとも一部が、前記センサ手段に前記電磁界からの誘導によって電力を供給する同調回路の一部を構成するアンテナ・コイルを備えた受動センサである、請求項２６乃至２８のいずれか１項に記載の可動物体。
【請求項３０】
個々のセンサに電力を供給する前記同調回路同士が相互接続される、請求項２９に記載の可動物体。
【請求項３１】
センサ手段の数が少なくとも６個であり、好ましくは８〜２４個の範囲内である、請求項２０乃至３０のいずれか１項に記載の可動物体。
【請求項３２】
可動物体がシステムの平坦なターゲット面を通過するかどうかを判定する手段を有するシステムで使用するための可動物体であって、
電磁界を感知する複数のセンサ手段と、
前記可動物体内に構成された電波放出器手段と、
前記電波放出器手段に電力を供給するために前記可動物体内に構成された内部電源と、
前記メモリ手段および前記電波放出器手段の動作を制御する制御手段と
を有し、
前記制御手段が、前記センサ手段によって測定された電磁界強度をサンプリングして、前記個々のセンサによって測定された前記電磁界強度に関連するデータを、前記電波放出器手段によって送出するように構成され、前記送出されたデータが、前記複数のセンサ手段のうちどれが前記送出されたデータを測定したかという一意の識別情報を可能にする
可動物体。
【請求項３３】
前記内部電源が、充電式電池または１つもしくは複数のコンデンサなど、電気的に再充電可能な手段を備える、請求項３２に記載の可動物体。
【請求項３４】
前記内部電源を再充電するための電力を、誘導電力伝達システムによって受け取るように適合された再充電手段をさらに備える、請求項３３に記載の可動物体。
【請求項３５】
前記個々のセンサ手段の前記サンプリングを同期させる同期手段を備える、請求項３２乃至３４のいずれか１項に記載の可動物体。
【請求項３６】
前記同期手段が、前記複数のセンサ手段と前記同期手段との相互接続を、共通の同期信号を前記複数のセンサ手段に前記相互接続によって供給するために備える、請求項３５に記載の可動物体。
【請求項３７】
前記同期手段が、前記電磁界によって同期信号を受信するように適合される、請求項３５に記載の可動物体。
【請求項３８】
各センサ手段が個々の電波放出器手段を有する、請求項３２乃至３７のいずれか１項に記載の可動物体。
【請求項３９】
前記個々の電波放出器手段が、前記一意の識別情報を可能にするようにデータを別々の周波数で送出するように構成される、請求項３８に記載の可動物体。
【請求項４０】
メモリ手段をさらに備え、前記制御手段がさらに、前記メモリ手段を制御するように構成される、請求項３２乃至３９のいずれか１項に記載の可動物体。
【請求項４１】
前記複数のセンサ手段が、前記可動物体の内部バルーンとその外殻との間に設けられる、請求項３２乃至４０のいずれか１項に記載の可動物体。
【請求項４２】
前記複数のセンサ手段が、前記可動物体の内部バルーンの内側に設けられる、請求項３２乃至４１のいずれか１項に記載の可動物体。
【請求項４３】
前記複数のセンサ手段の少なくとも一部が、前記センサ手段に前記電磁界からの誘導によって電力を供給する同調回路の一部を構成するアンテナ・コイルを備えた受動センサである、請求項３２乃至４２のいずれか１項に記載の可動物体。
【請求項４４】
前記個々のセンサに電力を供給する前記同調回路同士が相互接続される、請求項４３に記載の可動物体。
【請求項４５】
センサ手段の数が少なくとも６個であり、好ましくは８〜２４個の範囲内である、請求項３２乃至４４のいずれか１項に記載の可動物体。
【請求項４６】
前記物体がスポーツ用物体である、請求項２０乃至４５のいずれか１項に記載の可動物体。
【請求項４７】
前記スポーツ用物体がボール、例えばフットボール用ボールである、請求項４６に記載の可動物体。
【請求項４８】
前記可動物体の一意の識別情報を固定データ処理手段に放出する識別手段をさらに備える、請求項２０乃至４７のいずれか１項に記載の可動物体。
【請求項４９】
前記識別手段がさらに、前記個々の可動物体に関する較正データおよび通信の詳細を放出するように適合される、請求項４８に記載の可動物体。
【請求項５０】
可動物体と、
前記可動物体内に構成された電波放出器手段と、
前記電波放出器手段に電力を供給するために前記可動物体内に構成された内部電源と、
前記電波放出器手段から電波を受信し、それに応じて出力をもたらす固定受信器手段と、
平坦なターゲット面の周囲に沿って配置された第１のアンテナ・ループおよび第２のアンテナ・ループを備え、前記第１のアンテナ・ループおよび前記第２のアンテナ・ループが、前記ターゲット面の前記周囲に実質的に平行に延びる２つの実質的に並行する導体を備え、前記並行導体が前記平坦なターゲット面に垂直な方向にある相互距離を有して配置される、前記電波放出器手段を励起するために構成された固定励起器手段であって、前記励起器手段の動作を駆動するための電流源をさらに備え、前記電流源が、位相高速位相シフト構成を有し、それにより前記導体の一方に供給される電流の位相を、他方の導体に供給される電流に対して逆位相になっている状態と同位相の状態との間で、２００Ｈｚ〜１０，０００Ｈｚの範囲内、好ましくは５００〜６，０００Ｈｚの範囲内の切換えレートで切り換えることができる、励起器手段と
を備えるシステムであって、
前記出力を受け取って所定の条件セットと共に処理し、前記可動物体が前記平坦なターゲット面を通過するかどうかを判定するために、前記条件セットが満たされた場合に結果として得られる出力をもたらすためのデータ処理手段をさらに備える
システム。
【請求項５１】
前記内部電源が、充電式電池または１つもしくは複数のコンデンサなど、電気的に再充電可能な手段を備える、請求項５０に記載のシステム。
【請求項５２】
前記内部電源を再充電するための電力を、誘導電力伝達システムによって受け取るように適合された再充電手段をさらに備える、請求項５１に記載のシステム。
【請求項５３】
可動物体と、
前記可動物体内に構成された電波放出器手段と、
前記電波放出器手段に電力を供給するために前記可動物体内に構成された内部電源と、
前記電波放出器手段から電波を受信し、それに応じて出力をもたらす固定受信器手段と、
平坦なターゲット面の周囲に沿って配置された第１のアンテナ・ループおよび第２のアンテナ・ループを備え、前記第１のアンテナ・ループおよび前記第２のアンテナ・ループが、前記ターゲット面の前記周囲に実質的に平行に延びる２つの実質的に並行する導体を備え、前記並行導体が前記平坦なターゲット面に垂直な方向にある相互距離を有して配置される、前記電波放出器手段を励起するために構成された固定励起器手段であって、前記励起器手段の動作を駆動するための電流源をさらに備え、前記電流源が、前記放出コイルに異なる周波数の重ね合せ電流を与え、それにより電力を供給するための第１の周波数の電流が前記２つのコイルで同位相になってその周波数の電磁界同士が強め合う干渉状態になり、かつ信号をもたらすための第２の周波数の電流が逆位相で供給されるように構成される、励起器手段と
を備えるシステムであって、
前記出力を受け取って所定の条件セットと共に処理し、前記可動物体が前記平坦なターゲット面を通過するかどうかを判定するために、前記条件セットが満たされた場合に結果として得られる出力をもたらすためのデータ処理手段をさらに備える
システム。
【請求項５４】
前記内部電源が、充電式電池または１つもしくは複数のコンデンサなど、電気的に再充電可能な手段を備える、請求項５３に記載のシステム。
【請求項５５】
前記内部電源を再充電するための電力を、誘導電力伝達システムによって受け取るように適合された再充電手段をさらに備える、請求項５４に記載のシステム。
【請求項５６】
可動物体と、
前記可動物体内に構成された電波放出器手段と、
前記電波放出器手段に電力を供給するために前記可動物体内に構成された内部電源と、
前記電波放出器手段から電波を受信し、それに応じて出力をもたらす固定受信器手段と、
平坦なターゲット面の周囲に沿って配置された第１のアンテナ・ループおよび第２のアンテナ・ループを備え、前記第１のアンテナ・ループおよび前記第２のアンテナ・ループが、前記ターゲット面の前記周囲に実質的に平行に延びる２つの実質的に並行する導体を備え、前記並行導体が前記平坦なターゲット面に垂直な方向にある相互距離を有して配置される、前記電波放出器手段を励起するために構成された固定励起器手段であって、前記励起器手段の動作を駆動するための電流源をさらに備え、前記電流源が、前記並行導体にほんのわずかに異なる周波数の電流を与え、それにより干渉が、前記２つの電流の周波数の差に等しい周波数で中央面のところでゼロ強度と最大強度の間で変化する強度を発生させるように構成される、励起器手段と
を備えるシステムであって、
前記出力を受け取って所定の条件セットと共に処理し、前記可動物体が前記平坦なターゲット面を通過するかどうかを判定するために、前記条件セットが満たされた場合に結果として得られる出力をもたらすためのデータ処理手段をさらに備える
システム。
【請求項５７】
前記内部電源が、充電式電池または１つもしくは複数のコンデンサなど、電気的に再充電可能な手段を備える、請求項５６に記載のシステム。
【請求項５８】
前記内部電源を再充電するための電力を、誘導電力伝達システムによって受け取るように適合された再充電手段をさらに備える、請求項５７に記載のシステムまたは可動物体。
【発明の詳細な説明】
【技術分野】
【０００１】
本発明は、スポーツ用物体、例えばフットボール用ボールまたはアイス・ホッケー用パックなどの可動物体が、例えばゴール・ラインから延びる垂直面またはバスケットボールのバスケットの上縁部によって画定される水平面として定義されるゴール面など、空間内の平坦面を通過したかどうかを検出するためのシステムに関する。
【背景技術】
【０００２】
従来、スポーツ試合の１人または複数の審判員は、ボールがゴール面を通過したかどうかを目視観測から判断している。しかしこれは、ボールがすばやく戻されて、ゴール面をかろうじて通過した、または通過しなかったという状況において、正確に判定することが非常に困難な場合があり、審判員がゴール面に対して不適切な位置におり、または試合の他の活動に携わっている場合には特に困難である。ビデオ・カメラを使用してゴール面を監視することもできるが、ビデオ・カメラの空間および時間分解能はしばしば、疑いのある場合に必要な情報を提供するのに十分ではない。
【０００３】
例えばＷＯ０１／６６２０１、ＦＲ２７５３６３３、ＦＲ２７２６３７０、ＷＯ９９／３４２３０、米国特許第４６７５８１６号、米国特許第５３４６２１０号、およびＷＯ９８／３７９３２に開示されているように、スポーツ競技場上でのボールの位置を位置測定システムによって判定するいくつかの電子システムが当技術分野で知られている。これらの位置測定システムは、例えばボールが競技場の境界線を通過したかどうかに加えて競技者の位置も判定するために使用することができ、多くの有用な情報を審判員に提供する。しかし、ゴール面の通過の判定は非常にデリケートな問題である。というのも、その判定が、スポーツ試合の結果にとって決め手となる可能性があるためであり、また距離が短く、物体の速度がしばしば非常に大きいためである。したがって、物体がゴール面を通過したかどうかを確実に判定するための位置判定システムは、位置を判定する際に非常に正確でなければならず、それと同時に、非常に高い位置判定の更新レートを有していなければならない。物体は、例えば７２ｋｍ／ｈまたは最大１３０ｋｍ／ｈで移動することがあり、これはそれぞれ２０ｍ／ｓおよび３６ｍ／ｓに等しく、このことは、１／１００ｓの更新レートであれば、それぞれ２０ｃｍまたは最大３６ｃｍの不確かさが判定位置に加わることを意味する。これは、スポーツ試合でのゴールの判定に関して許容できない。
【０００４】
ゴール面の交差についての信頼性の高い指示をもたらすのに十分正確なスポーツ用物体の位置の判定および十分高い更新レートを有する位置測定システムは、設置および維持が非常に高くつく。したがって、信頼性の高い指示をもたらすのに十分な空間ならびに時間分解能を備えた代替システムを提供することが望ましい。
【０００５】
米国特許第５，９７６，０３８号は、競技用物体が競技判定ラインを交差するときに出力指示をもたらすための装置を開示している。この装置は、ディスク反射鏡アンテナや、特に、和信号および差信号をもたらすように組み合わされた２つの水平に隣接する給電装置が設けられたカセグレン・アンテナなどの指向性受信アンテナを備えている。このアンテナは、競技場の外側に構成され、競技判定ラインに沿って向けられる。アンテナと競技用物体の間に距離があることから十分高い空間分解能をもたらすために、アンテナの反射鏡はかなりの寸法を有していなければならない。幅３０インチ、すなわち７６ｃｍの反射鏡であれば、幅４インチ、すなわち１０ｃｍの検出ゾーンを可能にし、これは、システムの他の不確かさと合わせて、同特許が対象とするアメリカン・フットボールでの使用には許容できるが、他の多くのスポーツ・ゲームにとっては許容できないものであり、ずっと大きな反射鏡が必要になる。
【０００６】
米国特許第４，３７５，２８９号は、２つの電気導体または放出器コイルを開示している。この２つの電気導体または放出器コイルは、ゴール面を、ゴール面に垂直な方向にある相互距離を有する２つの垂直レベルで取り囲んでおり、またこの２つの導体に交流を逆位相で与えることによってそれぞれ電磁界を放出し、それにより、ゴール面を通過するときに物体のところで感知できる電磁界が、弱め合う干渉により２つのレベル間にある中央面でゼロであり、その中央面の通過がボール内のセンサにおける電磁界強度の測定から判定されるものである。使用されるボール・センサは、センサのコイルまたはアンテナ内への電流の誘導によって電磁界から電力を受け取り、それに応じて信号を放出する受動ユニットであり、その信号は、２つの導体間にある検出コイルによって検出され、通過の方向も、ボール・センサから受信した信号と導体内を流れる電流の位相との間の位相比較によって検出することができる。このシステムは、放出器コイルと検出コイルに関して、１つの放出器コイルが、システムの対応する動作を有する２つの検出コイルの間でゴール面内にあり、それにより２つの検出コイル内の検出信号が等しいときにボールがゴール面を通過したことが検出されるように、逆に設計することもできる。
【０００７】
しかし、この構成には、センサのコイルがボールの直径を実質的に取り囲んでいるため、空間分解能がボールのサイズによって制限されるという欠点があり、このことは、ボールと検出コイルの間の距離が減少するに伴ってますます重要になる。これは、ボールがゴール面を明らかに通過するときの得点を挙げた大部分のゴールを検出する際には、大きな問題とはならないが、ボールがゴール面をかろうじて通過し、または完全に通過したわけではなく、またボールがコイルに近いという疑いのある状況では、空間分解能は、ゴールが得点を挙げたか否かを満足のいく精度で判断するのに十分ではない。
【０００８】
さらに、本発明者は、ゴール面を取り囲む放出器コイルから放出される電磁界が、コイルに近い領域内、特にコイルの水平部分と垂直部分が出会う領域近くで歪み、そうした領域内では、弱め合う干渉が最も大きく混合電磁界がゼロである面が、ゴール面から数センチメートル逸れる恐れがあることを発見した。
【先行技術文献】
【特許文献】
【０００９】
【特許文献１】ＷＯ０１／６６２０１
【特許文献２】ＦＲ２７５３６３３
【特許文献３】ＦＲ２７２６３７０
【特許文献４】ＷＯ９９／３４２３０
【特許文献５】米国特許第４６７５８１６号
【特許文献６】米国特許第５３４６２１０号
【特許文献７】ＷＯ９８／３７９３２
【特許文献８】米国特許第５，９７６，０３８号
【特許文献９】米国特許第４，３７５，２８９号
【発明の概要】
【発明が解決しようとする課題】
【００１０】
したがって、ゴール面を通過する物体の通過を改善された精度で検出するためのシステムを提供することが本発明の目的である。
【課題を解決するための手段】
【００１１】
本発明では、いくつかの技術的特徴が提供され、それらがそれぞれまたは相まって、そのような改善をもたらす。
【００１２】
ゴール面の通過を検出し、またはボール内のセンサによって放出された信号を検出するために使用される、米国特許第４，３７５，２８９号に開示された、ゴール面を取り囲み電磁界を発生させる固定導体は、本発明の有利な一実施形態では、複数の別々の回路に区分することができる。それによって、ボールが検出コイルに近いときのシステムの空間分解能に関連する問題は、そのようなシステムが、ゴール面の周囲の異なる部分に関連する検出データを分離し、それによりボールがゴール面を通過したかどうかを判断する際に、通過中のボールに最も近い区画に関連するデータを無視することのできる能力によって矯正することができる。これは例えば、ボール内のセンサからの応答を、システムの信号処理手段内で別々の区画からの電磁界に関する応答に分離することができるように、各区画から別個の電磁界をもたらすことによって実施することができる。区画が検出器として使用される実施形態では、各区画が、例えば、別々の出力をシステムの信号処理手段に供給することができ、それによって、近接電磁界の問題を矯正することができる分析が可能になる。さらに、このシステムは、米国特許第４，３７５，２８９号に示されるようなゴール面を完全に取り囲む閉じた電気回路を設ける必要なしに構築することができ、すなわち、導体の区分されたシステムは、特に地上のコネクタが通常固定されるゴール自体を移動させる必要がある場合に構築して地上の導体に接続するのに不都合な、ゴール・ラインの下の地中にある導体の存在なしで動作するように設計することができる。また、ゴール面を通過する際の可動物体の正確な位置はその出力から導出することができ、これは得点を挙げた（または得点を挙げていない）ゴールのアニメーションがスポーツ・ゲームの生テレビ放送用に制作される場合に、非常に有用である。
【００１３】
したがって、本発明は、
可動物体、例えばハンドボール用ボール、フットボール用ボール、またはアイス・ホッケー用パックと、
可動物体内に、好ましくはいくつかの同調アンテナ・ループの形で構成された電波放出器手段と、
電波放出器手段に電力を供給するために可動物体内に構成された内部電源と、
前記電波放出器手段を、例えば電波放出器手段の同調回路に対応する波長の電磁波を放出することによって励起するために構成された固定励起器手段と、
電波放出器手段から電波を受信し、それに応じて出力をもたらす固定受信器手段と、
平坦なターゲット面の周囲に沿って配置され、ターゲット面の前記周囲に実質的に平行に延びる２つの実質的に並行する導体をそれぞれが備え、前記並行導体が平坦なターゲット面に垂直な方向にある相互距離を有して配置される、複数の実質的に閉じた第１のアンテナ・ループであって、前記固定励起器手段および前記固定受信器手段の一方を構成する、複数の第１のアンテナ・ループと
を備えるシステムであって、
前記出力を受け取って所定の条件セットと共に処理し、可動物体が平坦なターゲット面を通過するかどうかを判定するために、条件セットが満たされた場合に結果として得られる出力をもたらすための処理手段をさらに備える
システムに関する。
【００１４】
第１のアンテナ・ループという用語は、ループがある領域を取り囲むように、好ましくは平坦面内に画定される経路に沿って配置された、１つまたは複数の導体からなる閉じたループと理解される。特に好ましい一実施形態では、第１のアンテナ・ループは、プレート構造など、別々の剛性構造上にそれぞれ配置される。
【００１５】
「平坦なターゲット面の周囲に沿って」という表現が使用される場合、アンテナ・ループは、平坦なターゲット面の面内でターゲット面から離れた距離において測定してその周囲の５０センチメートル以内、好ましくは２０センチメートル以内など、その周囲の近くに、またはその周囲に隣接して配置されると理解される。
【００１６】
ターゲット面は一般に、可動物体の中心、またはより具体的には電波放出器手段の中心が、ターゲット面を通過したと見なされるために通過しなければならない面、すなわちゴールが得点を挙げる面である。
【００１７】
各第１のアンテナ・ループの実質的に並行する導体は、好ましくは、平坦なターゲット面の各側に、ターゲット面に垂直な実質的に同じ距離において配置される。
【００１８】
各第１のアンテナ・ループの実質的に並行する導体間の、平坦なターゲット面に垂直な方向の相互距離は、好ましくは１５〜５０センチメートルの範囲内であり、各アンテナ・ループの並行導体間の距離は、好ましくはシステムの複数のアンテナ・ループ全てについて同じである。
【００１９】
各第１のアンテナ・ループの実質的に並行する導体の、前記平坦なターゲット面の周囲に沿った長さは、好ましくは０．５〜３メートルの範囲内であり、より好ましくは１〜２メートルの範囲内である。
【００２０】
４〜１６個の範囲内、好ましくは６〜１２個の範囲内など、第１のアンテナ・ループの少なくともいくつかは、本発明の好ましい一実施形態では、平坦なターゲット面の実質的に水平なラインに沿って、特に、平坦なターゲット面の範囲を定めるゴールの水平なクロスバーに沿って、直列に配置される。第１のアンテナ・ループは、好ましくは、平坦なターゲット面の水平ラインに沿って実質的に等距離に配置される。
【００２１】
同様に、第１のアンテナ・ループの少なくともいくつかが、平坦なターゲット面の実質的に垂直な複数のラインに沿って、特に、平坦なターゲット面の範囲を定めるゴールの垂直な複数のサイド・ポストに沿って、直列に配置されることも好ましい。各垂直ラインに沿った第１のアンテナ・ループの数は、好ましくは２〜８個の範囲内であり、最も好ましくは３〜６個の範囲内である。第１のアンテナ・ループは、好ましくは、平坦なターゲット面の垂直な複数のラインに沿って実質的に等距離に配置される。
【００２２】
このシステムはさらに、平坦なターゲット面の実質的に周囲で延び、かつ前記固定励起器手段および前記固定受信器手段の他方を構成する、すなわち、ターゲット面の起こり得る通過の判定にとって可動物体からの信号が最も重要となる場所にある、第２のアンテナ・ループを備えることができる。第２のアンテナ・ループは、それがターゲット面と実質的に同じ面内に延びる限り、周囲のいくらか外側にターゲット面に平行な方向に延びることができる。
【００２３】
特に好ましい一実施形態では、第１のアンテナ・ループが固定受信器手段を構成し、第２のアンテナ・ループが固定励起器手段を構成する。この場合、データ処理手段への出力は、各第１のアンテナ・ループ内で発生した電圧または電流となっている。特に好ましい一実施形態では、このシステムが、システムの動作中に第１のアンテナ・ループと第２のアンテナ・ループの起こり得るずれを補償する、第１のアンテナ・ループごとの補償手段を備える。このずれがあると、第２のアンテナ・ループが第１のアンテナ・ループ内に電圧または電流、すなわち偽信号を発生させ、補償手段の目的は、第１のアンテナ・ループ内のそのような偽信号を低減または解消し、それによって、可動物体内の電波放出器手段に対する第１のアンテナ・ループの信号対雑音比が改善されることである。さらに、補償手段の較正後にこの偽信号が解消される場合、第１のアンテナ・ループによって検出され、かつ可動物体内の電波放出器手段から発していない信号は、そのような信号が、その第１のアンテナ・ループに隣接する第２のアンテナ・ループの部分に平行に延びる、第２のアンテナ・ループの対向する部分から、または平坦なターゲット面と同じ面内に延びるが、平坦なターゲット面の周囲から離れて第１のアンテナ・ループまである距離を有する第３の較正アンテナから発するという点で、第１のアンテナ・ループの面と平坦なターゲット面に垂直な面の起こり得る位置合せ誤差を検出するのに使用することができ、それにより角度ずれを導出することができる。第１のアンテナ・ループの面と平坦なターゲット面に垂直な面との間の検出されたそのような角度ずれは、可動物体がターゲット面を通過しているか否かを判定するときに、問題の第１のアンテナ・ループからの出力を補償するために使用することができる。
【００２４】
第１のアンテナ・ループによって検出される信号は、可動物体内に構成された電波放出器手段が同調回路を備える場合、そのような回路からの電磁波によって発生する電圧または電流の位相角が励起器手段の交流に対して約９０度変位されるという点で、分析されると、その放出器手段からの電磁波から発生したものと判定することができる。
【００２５】
補償手段は、システムの信号処理手段内に実装しても、問題の第１のアンテナ・ループに接続され、それに補償逆電流を供給する回路によって構成してもよい。しかし、好ましい一実施形態では、第１の補償手段が、実質的に第１のアンテナ・ループの面内に構成され、かつ平坦なターゲット面の周囲から並行導体の一方に向かって変位された補償ループを備える。補償ループに供給される適切な動作電流が、電磁界の第２のアンテナ・ループによって発生する部分を取り消し、したがって、第１のアンテナ・ループが平坦なターゲット面に非垂直であることに対する補償を行う。
【００２６】
ゴール面の交差の検出は高精度で行わなければならず、それには検出システムの高い空間分解能が必要であり、検出システムには、ボールがしばしば２０ｍ／ｓ程度、または３６ｍ／ｓなどのさらに大きな程度の高速で移動するので、高い時間分解能もやはり必要である。
【００２７】
別の態様によれば、本発明において適用されるボールには、メモリ手段、別々の無線送出手段、ならびにメモリ手段および送出手段を制御する制御手段を装備することができる。制御手段は、センサによって測定された電磁界強度を、４，０００Ｈｚなど、例えば５００〜１０，０００Ｈｚの所与のサンプル・レートでサンプリングするように構成され、全てのサンプル値は、ＦＩＦＯ（先入れ先出し）メモリとして動作するメモリ手段に供給され、したがって最新のサンプルが、メモリ内の記憶された最も古いサンプルに取って代わり、それにより、センサが電池によって、または導体の電磁界からの誘導によって給電されるときはいつでも、例えば最後の０．５秒の最新のサンプルがメモリ手段内に記憶される。
【００２８】
制御手段は、ゴール面の通過の指示が検出されたときにだけ、メモリ手段内に記憶されたサンプル・セット全体の送出を実施するように構成される。そのような指示は、個々のセンサによって形成されたサンプルの予備分析から、同じボール内に構成された複数のセンサによって行われた検出の比較から、または米国特許第４，３７５，２８９号に開示されたものなどのより粗い冗長システムから形成することができる。送出されたデータは、固定受信器によって受信され、ボールがゴール面を通過したかどうかを判定するために分析される。任意選択で、制御手段はさらに、電磁界強度の測定されたサンプルのごく一部分だけ、標準としてサンプルの１／１０または１／５などを、電磁界強度のサンプリング中に絶えず送出するように構成される。
【００２９】
このようにして、センサによって検出された電磁界強度を示すより詳細なデータ・セットを、分析のために固定制御ユニットに供給することができる。というのも、ゴール面の起こり得る通過時にセンサによって検出される電磁界強度のサンプル・レートを、データ送出レートの何倍も高くすることができるためである。データ送出レートは、選択される送出周波数、およびデータの送出に利用できる電力によって変わり、受動センサの場合、利用できる電力は、電磁界によって電力が中に誘起される、センサの導体によって取り囲まれる面積に比例する。センサの本実施形態では、例えば信頼性の高いデータ送出レートの１０倍という、適切に高いデータ・サンプル・レートの場合、およびセンサの導体により取り囲まれる面積が小さく、それによって、センサを物理的に拡張すると、標準的なフットボール用ボールまたは球技用の他の標準的なボール内に４つ、６つ、８つ、またはそれよりも多くのセンサなど、複数のセンサを設けることが可能になる場合に、受信器のところに適切な信号対雑音比をもたらす信頼性の高い送出強度が可能になる。
【００３０】
特定の一実施形態では、センサの制御手段が、メモリ手段内に記憶されたデータを、最も関連のあるデータ、すなわち判定されるゴール面の起こり得る通過に最も近いデータ、例えば通過後の１つ目のサンプルが最初に送出され、その後に通過前の１つ目のサンプル、次いで通過後の２つ目のサンプルが続き、以下同様というシーケンスで送出するように構成される。第２の実施形態では、より低周波数のサンプリング、例えばサンプル５個または１０個ごとに１つが最初に送出され、その後、メモリ手段内に記憶された残りのデータが送出される。それによって、最重要データが固定ユニットによって受信および処理される機会が向上する。
【００３１】
好ましくは、センサからの受信データ信号の信号対雑音比をさらに改善するために、データはセンサからデジタル形式で送出され、有利な送出周波数は２７〜３５ＭＨｚであるが、４３３ＭＨｚ、８６８ＭＨｚ、または２．４ＧＨｚなど、他の適切な周波数を適用することもできる。使用される好ましい周波数は、公的使用ライセンスを必要としない範囲内である。
【００３２】
本発明の全ての実施形態では、電源、例えば電池または充電式電池が、ボールの内側に取り付けられ、動作の際には、それが単独でまたはコイルと組み合わさって、データを取得および／または送出し、かつボールを能動可動物体にするのに十分な電力をもたらす。コイルのサイズおよび数は、電源、例えば充電式電池、１つもしくは複数のコンデンサ、および／またはマイクロ燃料電池などの電池を使用することにより低減させることができる。電池および／またはコンデンサを再充電するための電力は、ボール上の導電性端子を介して、かつ／または、好ましくは前述のコイルを誘導電力伝達を受け取る手段として使用する誘導電力伝達システムを介してもたらすことができる。能動可動物体としてのボールの場合、差動アンテナをゴール枠上に取り付けることが好都合である。
【００３３】
（「サッカー」としても知られる）フットボールなど、大部分のゲームでは、ゴールが得点を挙げたと見なされるためにはボール全体がゴール面を通過していなければならず、したがって、ゴール面を通過するボールの検出の高い空間分解能が望ましい。米国特許第４，３７５，２８９号に示される既知のセンサの場合、ボールは、ボールの中心を通過する交差垂直面内に構成された３つの導体によって取り囲まれる。各導体には、導体によって取り囲まれた面積を通る合計電磁束に比例して電流が誘導される。この面積を通る合計電磁束は、電磁束密度、および電磁束ベクトルの方向とその面積との間の角度によって変わるが、角度のばらつきは一般に、３つの垂直導体内を流れる誘導電流を組み合わせることによって補償される。しかし、電磁束密度は、ボールの断面積のサイズの面積にわたって積分され、したがって、組み合わされた誘導電流は、ボールを通過する合計電磁束の大きさとなる。したがって、センサの空間分解能は、ボールのサイズによって制限される。
【００３４】
空間分解能を改善するために、複数のセンサをボール内に、好ましくはボールの内部ラテックス・バルーンとその外殻との間に設けることができるが、別法として、複数のセンサは、ラテックス・バルーンの内側にあってもよい。一実施形態では、各センサまたはセンサの少なくとも一部が、放出される電磁界の波長に対応する同調回路を構成するためにアンテナ・ループまたはコイルとそれに接続されたコンデンサなどを備える受動センサである。第２の実施形態では、個々のセンサそれぞれのゴール面の通過を判定するために、個々のセンサによって測定された電磁界強度のデータが固定データ処理ユニットに送出される。次いで、個々のセンサの誘導アンテナと電磁束ベクトルとの間の角度の補償を、固定データ処理ユニットにおいて、複数のセンサからの完全なデータ・セットから、ボールの空間および角度位置に関する連立方程式を解くことによって行うことができる。判定すべき重要な特徴は、全てのセンサがゴール面を通過したかどうかであり、ゴール面は必ずしも、ゴール面を取り囲む導体間の中央面と物理的に一致するとは限らない。
【００３５】
このデータ処理にとって有利なのは、ボール内の個々のセンサが、電磁界強度データのサンプリングに対して同期手段によって同期されることであり、この同期手段は例えば、センサ同士を相互接続し、共通の同期信号を与えることによって、または別法として、電磁界をもたらす導体内を流れる電流により同期信号をセンサに供給することによって実現することができる。やはり有利な点は、個々のセンサからのデータ送出が負の干渉をしないように、データ送出が調整されることであり、これは、個々のデータ送出を同期させることができるようにセンサ同士を相互接続することによって、またはボール内に１つの共通データ送出手段があり、それにより全てのデータが固定データ処理ユニットに送出されることによって実現することができる。あるいは、各センサが、データを固定データ処理ユニットに別々の周波数で送出するように構成されたデータ送出手段を有してもよい。別の有利な特徴は、受動センサについて、個々のセンサの電源同士を相互接続し、それにより各センサが、個々のセンサの誘導アンテナが広がる面積と電磁束ベクトルの方向との間の角度に関係なく、電磁界強度の測定データを取得および送出するのに十分な電力を有することである。しかし、電源、例えばボールの内側に取り付けられた電池または充電式電池も、単独でまたはコイルと組み合わさって、データを取得および／または送出し、かつボールを能動可動物体にするのに十分な電力を発生させる。コイルのサイズおよび数は、電源、例えば電池または充電式電池を使用することにより低減させることができる。
【００３６】
ボールはさらに、ゲーム中に使用されるボールが本発明によるシステムで使用されるものであると確実に証明されるように、一意の識別情報を固定データ処理手段に放出する識別手段を備えることができる。さらに、個々のボールに関する較正データおよび通信の詳細を送出することもできる。
【００３７】
米国特許第４，３７５，２８９号に示されている、電流が逆位相の２つのコイルからの電磁界強度は、ボール・センサの位置の最も正確な判定をするために検出にとって最も重要となる領域で最も弱い。したがって、検出すべき信号、ならびに電磁界によって受動センサにもたらされる電力は、この領域で最も小さく、ゴール面のところまたはその近くにある中央面でゼロである。
【００３８】
本発明の一態様による１つの解決策は、導体の一方の電流源に高速位相シフト構成を設け、それによりその導体の位相を、他方の導体に対して逆位相になっている状態と同位相の状態との間で、ボールにおいて検出される信号強度のサンプリング・レートの大きさ程度の切換えレート、すなわち２００〜１０，０００Ｈｚ、好ましくは５００〜６，０００Ｈｚの範囲内で切り換えることができ、それにより例えばサンプル２つまたは３つごとに１つが、電磁界が同位相であり、２つの導体間にある中央面での２つの電磁界が強め合う干渉状態であり、かつ別々の電磁界強度からなる構成と２つの導体間の距離のため、電磁界強度がその面で最大値を有するときに形成されることである。
【００３９】
したがって、中央面の位置に高い電磁界強度をもたらすことは、受動ボール・センサ、すなわち導体によってもたらされる電磁界により給電されるセンサを使用する場合に有利な点となる。というのも、電磁界強度の検出およびそれによるデータの送出に利用できる電力が高く、逆位相の電磁界の弱い電磁界強度の検出についても同様なためである。しかし、電源、例えばボールの内側に取り付けられた電池または充電式電池も、単独でまたはコイルと組み合わさって、データを取得および／または送出し、かつボールを能動可動物体にするのに十分な電力を発生させる。コイルのサイズおよび数は、電源、例えば電池または充電式電池を使用することにより低減させることができる。
【００４０】
さらに、中央面に対するボール・センサの位置は、２つの異なる方法で、すなわち電流が逆位相のときには、既知の技法と同様にゼロ電磁界強度の通過の判定から、また電流が同位相のときには最大強度の判定から検出することができる。第１の方法は、中央面の通過とおそらくは通過の方向についての優れた全体的な指示をもたらすが、実通過付近での詳細に関しては、検出される電磁界強度がその領域内で非常に弱いため弱点があり、一方、第２の方法は、中央面の通過付近で最も強い電磁界強度を有し、したがって最も多くの詳細を有するが、電磁界強度のピーク値がそれ自体によって与えられて検出される第２の方法には、例えば競技者の身体から、また電磁界の外部発生源からの干渉により、ピーク値がボール・センサの、中央面以外の他の位置で生じることがあるため、誤った通過を検出するという高いリスクがある。検出された強度をフィルタリングするために、ピーク強度のしきい値を適用することができるが、ゴール面全体にわたる少なくとも１桁（すなわち１０倍）の電磁界強度のばらつきがあるため、それには限られた効果しかない。
【００４１】
しかし、第２の方法を第１の方法と組み合わせることにより、正しい通過位置の推定値が第１の方法によってもたらされるため、誤った通過を検出するというリスクが実際には解消され、組み合わされた方法は第２の方法の高い空間分解能を得る。
【００４２】
第２の解決策は、放出コイルに異なる周波数の重ね合せ電流を与え、それにより電力を供給するための第１の周波数の電流が２つのコイルで同位相になってその周波数の電磁界同士が強め合う干渉状態になり、かつ信号をもたらすための第２の周波数の電流が逆位相で供給されることである。第１の周波数の電磁界は、ボール内の１つまたは複数のセンサに、ゴール面の通過中にあらゆる位置で電力を供給するために使用することができる。この場合、ボール・センサ内に、２つの周波数に別々の共振回路を使用することなどにより、それらの周波数の効果を分離するための構成が形成されるべきである。しかし、電源、例えばボールの内側に取り付けられた電池または充電式電池も、単独でまたはコイルと組み合わさって、ボール内の１つまたは複数のセンサに電力を供給するのに十分な電力を発生させる。コイルのサイズおよび数は、電源、例えば電池または充電式電池を使用することにより低減させることができる。
【００４３】
さらに別の解決策は、放出コイルにほんのわずかに異なる周波数の電流を与え、それにより干渉が、その２つの電流間の周波数の差に等しい周波数で中央面のところでゼロ強度と最大強度の間で変化する強度を発生させることである。周波数の差は、電力がセンサのコイル内にセンサのあらゆる位置で誘導され、またボール内の１つまたは複数のセンサがゼロ強度の存在を正しく検出するようにこの強度周波数を使用してサンプル周波数を同期させることができるように、好ましくは、センサのサンプル周波数の１倍または３倍など、サンプル周波数の奇数倍に等しい。
【００４４】
さらに、同じボール内に構成された複数のセンサを、個々のセンサに電力および信号を供給するために異なる重ね合せ周波数を放出することによってアドレスし、それにより、放出コイルを、例えばボール内のセンサのサブグループを測定のために選択するのに使用することができ、または個々のセンサが順番にアドレスされることも、本発明の範囲内である。
【００４５】
２つの導体によってもたらされる電磁界の周波数は、好ましくは、５０〜５００ｋＨｚなど、１０〜１，０００ｋＨｚの範囲内であり、最も好ましくは１００〜２００ｋＨｚの範囲内である。というのも、この範囲内の電磁界は事実上、水分子との相互作用がなく、したがって、電磁界にさらされる人体に著しい影響を及ぼさず、電磁界内の人体によって引き起こされる電磁界の外乱がそれに対応して減少するためである。さらに、システムを較正するために、ゴール枠上にコイルを取り付けて、コイルが特定の周波数で送出することができる。
【００４６】
確実にボールの検出がゴール枠の内側または外側になるように、ゴール枠上に１つまたは複数のアンテナを、他のアンテナに対して９０度の角度で取り付けることが可能である。
【００４７】
本発明の諸実施形態は、添付の図中に示される。
【図面の簡単な説明】
【００４８】
【図１】ゴールのクロスバーに沿って配置された、本発明の第１の実施形態の３つの区画を示す図である。
【図２】ゴール面の周囲に沿って配置された、第１または第２の実施形態による区画を有するゴールを示す図である。
【図３】本発明の第２の実施形態の２つの区画を示す図である。
【発明を実施するための形態】
【００４９】
これらの図は、本発明の諸実施形態の説明図であり、本明細書に示す本発明の範囲を限定するものと見なすべきではない。
【００５０】
図１には、フットボール・ゴールのクロスバーの３つの区画が、上方から見たように概略的に示されている。各区画は、第１の面内にある導体１および第２の面内にある並行導体２、ならびに２つの中間導体３、４を備え、中間導体３、４は、他の導体１、２を接続して回路を形成し、その中を電流が矢印で示すように流れることができる。各区画は、区画の回路内に電流を供給し、またおそらくは、区画によって電力が誘導される物体に関連するデータを取得するための、別々の制御ユニット５を有する。ゴール面に垂直な水平方向の並行導体１、２間の距離Ｄは、好ましくは、ＦＩＦＡにより定められた規程による標準的なフットボール用ボールの直径近く、より一般的に言えば、１５〜５０センチメートルになるように選択される。特定の一実施形態では、隣接する区画の同じ面内にある並行導体１、２を、ある区画の前面導体１が隣接する区画の前面導体１に接続され、以下同様となるように、電気的に接続することができる。図２には、ゴールが上方から見たように示されており、７つの区画６がクロスバー８に沿って分配され、５つの区画７がゴールの各サイド・ポスト９に沿って分配されている。
【００５１】
区画の数は、例えば、ゴールのクロスバーに沿って、４〜１６個や好ましくは６〜１２個など、２〜２０個とすることができ、ゴールの各サイド・ポストに沿って、３〜６区画など、２〜８区画とすることができる。各区画の長さは、好ましい一実施形態では、１〜２メートルなど、０．５メートル〜３メートルの範囲内である。
【００５２】
各区画は、例えば先の項で論じたように位相または異なる周波数の重ね合せ電流を速く切り換えるために、容易にかつ速く制御することができる。さらに、個々の区画は、共通の制御手段または別々の制御手段によって別々に制御することができ、それにより、通過中のボールの位置についてのより詳細な情報を、通過中のボールによりその電磁界が影響を受ける区画の制御手段から取得することができ、またはボール内の１つまたは複数のセンサによって取得されるデータがそのような位置情報を伝達できるように個々の区画から放出される電磁界を変更することにより取得することができる。各区画の電磁界は、ボールの１つまたは複数のセンサから戻されるデータが区画に対するセンサの位置についての情報を伝達できるように、例えばその電流に別個の周波数の電流を重ね合わせることによって個々の識別情報を有することができ、それにより、先に論じた電磁界の起こり得る歪みを矯正しながら、センサの位置を固定データ処理手段によって判定して、ゴール面の通過を判定することができる。その上、またはそれに代わる手段として、個々の区画を迅速にオンおよびオフして、１つまたは複数のどの区画から、１つまたは複数のセンサによって検出された電磁界が発しているかを判定することもできる。さらに、区画を使用して、システムが正しく動作しているかどうかを、１つまたは複数のセンサによって検出される範囲外の電磁界を放出することによりテストし、システムからの起こり得る応答を記録し、評価することもできる。起こり得る応答は、システムのデータ処理手段内の補償アルゴリズムを調整するために使用することができる。
【００５３】
図３に示す区画の第２の実施形態では、第１のアンテナ・ループが固定受信器手段を構成し、ゴール面の周囲に配置された第２のアンテナ・ループ１０が固定励起器手段を構成し、この固定励起器手段が、ボール内の受動センサおよび電波放出器手段が同調される周波数に対応する約１２５ｋＨｚの周波数を有する電磁界をもたらす。各区画の並行導体１、２は、第２のアンテナ・ループ１０からゴール面に垂直な方向に実質的に同じ距離Ｄ／２を有して配置され、それにより区画の導体１、２、３、４回路内で発生する合計電流は、ボールがその区画の近くにないとき、理想的にはゼロである。しかし、並行導体１、２と第２のアンテナ・ループ１０の位置合せは必ずしも完全ではなく、したがって、区画の導体１、２、３、４内に「偽」電流が発生する。これを補償するために、各区画には、区画の回路内に第２のアンテナ・ループ１０に対して非対称に構成された補償回路１１が設けられ、補償回路１１の制御手段（図示せず）が、ボールによって影響を受けないときは区画の導体内を流れる電流がゼロとなるように、システムの動作中に回路１１に電流を供給するように調整される。各区画は、システムの他の特徴とは無関係に個々の区画を較正するのを容易にするために、第２のアンテナ・ループの周りに構成されたピックアップ・ユニット１２を有する。
【００５４】
各区画は、区画の導体１、２、３、４からなる回路内で発生した電流によって検出されるボールからの電磁界の大きさをシステムの制御手段（図示せず）に出力する出力手段（図示せず）を有する。全セクタからの入力から、ゴール面を通るボールの起こり得る通過を高精度で判定することができる。というのも、ある区画からの、例えばその区画の近くを通過するボールによる、または区画の誤動作による乱れた出力を、制御手段によって無視することができるためである。区画の導体１、２、３、４と第２のアンテナ・ループ１０との間の起こり得るずれが測定されて補償されるので、区画の導体内に発生電流が生じることは、その区画に角度誤差があることを示しており、すなわち、その区画が、平坦なゴール面に非垂直に向けられていることを示している。そのような発生電流は、ボール内のセンサによって発生する電流とは容易に分離される。というのも、ボール内のセンサによって発生する電流は同調されており、その位相は第２のアンテナ・ループ１０内を流れる電流に対して９０度変位されているが、区画の導体内で、ゴール面の対向する側に沿って配置された第２のアンテナ・ループ１０によって直接発生する電流は、第２のアンテナ・ループ１０内を流れる電流と同位相であるためである。したがって、区画によって行われる検出は、角度誤差に対して矯正することができる。
【００５５】
区画によってもたらされる電磁界の周波数は、好ましくは、５０〜５００ｋＨｚなど、１０〜１，０００ｋＨｚの範囲内であり、最も好ましくは１００〜２００ｋＨｚの範囲内である。というのも、この範囲内の電磁界は事実上、水分子との相互作用がなく、したがって、電磁界にさらされる人体に著しい影響を及ぼさず、電磁界内の人体によって引き起こされる電磁界の外乱がそれに対応して減少するためである。
【図１】
2011500112.tif 000003
【図２】
2011500112.tif 000004
【図３】
2011500112.tif 000005
【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
可動物体がシステムの平坦なターゲット面を通過するかどうかを判定する手段を有するシステムで使用するための可動物体であって、
電磁界を感知するセンサ手段と、
前記可動物体内に構成された電波放出器手段と、
前記電波放出器手段に電力を供給するために前記可動物体内に構成された内部電源と、
前記電波放出器手段の動作を制御する制御手段と
を有し、
前記制御手段が、前記センサ手段によって測定された電磁界強度をサンプリングして、前記測定された電磁界強度に関連するデータを前記電波放出器手段によって送出するように構成される可動物体。
【請求項２】
前記制御手段がメモリ手段をさらに制御するために前記メモリ手段をさらに含む、請求項１に記載の可動物体。
【請求項３】
前記制御手段が、前記センサ手段によって測定された電磁界強度を所与のサンプル・レートでサンプリングして、全てのサンプル値を前記メモリ手段に記憶するように構成され、前記制御手段がさらに、活性化されると、前記メモリ手段から記憶されたサンプル値を取り出して、前記取り出された値を前記電波放出器手段によって送出するように構成される、請求項２に記載の可動物体。
【請求項４】
前記メモリ手段が、先入れ先出し（ＦＩＦＯ）メモリとして動作し、それにより最新のサンプルが、前記メモリ内の記憶された最も古いサンプルに取って代わるように構成される、請求項３に記載の可動物体。
【請求項５】
前記物体の動作中の前記メモリ手段が、前記所与のサンプル・レートでサンプリングされた値を、少なくとも０．２秒、好ましくは０．３５〜１．２秒の範囲内の時間内で記憶することができる、請求項４に記載の可動物体。
【請求項６】
前記所与のサンプル・レートが、２，０００Ｈｚ〜６，０００Ｈｚなど、５００Ｈｚ〜１０，０００Ｈｚの範囲内である、請求項３乃至５のいずれか１項に記載の可動物体。
【請求項７】
前記センサ手段が、複数の個々のセンサ手段を備える、請求項１乃至６のいずれか１項に記載の可動物体。
【請求項８】
前記制御手段が、前記複数の個々のセンサ手段によって測定された電磁界強度をサンプリングして、前記個々のセンサによって測定された前記電磁界強度に関連するデータを、前記電波放出器手段によって送出するように構成され、前記送出されたデータが、前記複数のセンサ手段のうちどれが前記送出されたデータを測定したかという一意の識別情報を可能にする請求項７に記載の可動物体。
【請求項９】
前記個々のセンサ手段の前記サンプリングを同期させる同期手段を備える、請求項８に記載の可動物体。
【請求項１０】
前記同期手段が、前記複数のセンサ手段と前記同期手段との相互接続を、共通の同期信号を前記複数のセンサ手段に前記相互接続によって供給するために備える、請求項９に記載の可動物体。
【請求項１１】
前記同期手段が、前記電磁界によって同期信号を受信するように適合される、請求項９に記載の可動物体。
【請求項１２】
各センサ手段が個々の電波放出器手段を有する、請求項８乃至１１のいずれか１項に記載の可動物体。
【請求項１３】
前記個々の電波放出器手段が、前記一意の識別情報を可能にするようにデータを別々の周波数で送出するように構成される、請求項１２に記載の可動物体。
【請求項１４】
前記内部電源が、充電式電池または１つもしくは複数のコンデンサなど、電気的に再充電可能な手段を備える、請求項１乃至１３のいずれか１項に記載の可動物体。
【請求項１５】
前記内部電源を再充電するための電力を、誘導電力伝達システムによって受け取るように適合された再充電手段をさらに備える、請求項１４に記載の可動物体。
【請求項１６】
前記複数のセンサ手段が、前記可動物体の内部バルーンとその外殻との間に設けられる、請求項７乃至１５のいずれか１項に記載の可動物体。
【請求項１７】
前記複数のセンサ手段が、前記可動物体の内部バルーンの内側に設けられる、請求項７乃至１５のいずれか１項に記載の可動物体。
【請求項１８】
前記複数のセンサ手段の少なくとも一部が、前記センサ手段に前記電磁界からの誘導によって電力を供給する同調回路の一部を構成するアンテナ・コイルを備えた受動センサである、請求項７乃至１７のいずれか１項に記載の可動物体。
【請求項１９】
前記個々のセンサに電力を供給する前記同調回路同士が相互接続される、請求項１８に記載の可動物体。
【請求項２０】
センサ手段の数が少なくとも６個であり、好ましくは８〜２４個の範囲内である、請求項７乃至１９のいずれか１項に記載の可動物体。
【請求項２１】
前記物体がスポーツ用物体である、請求項１乃至２０のいずれか１項に記載の可動物体。
【請求項２２】
前記スポーツ用物体がボール、例えばフットボール用ボールである、請求項２１に記載の可動物体。
【請求項２３】
前記可動物体の一意の識別情報を固定データ処理手段に放出する識別手段をさらに備える、請求項１乃至２２のいずれか１項に記載の可動物体。
【請求項２４】
前記識別手段がさらに、前記個々の可動物体に関する較正データおよび通信の詳細を放出するように適合される、請求項２３に記載の可動物体。
【国際調査報告】
2011500112.tif 000006
2011500112.tif 000007
2011500112.tif 000008